(57)【特許請求の範囲】
【請求項１】
コンタクトレンズがフレキシブルな材料から成り、前記コンタクトレンズは一体的構造を有し、前記コンタクトレンズは、眼の上を動くことができ、前記コンタクトレンズは前面（１２）と後面（１４）と上端（２４）と下端（２２）とを有し、前記コンタクトレンズの前面は、遠視野区域（１６）と近視野区域（１８）とを有し、前記遠視野区域（１６）が、前記上端（２４）に近接して配置され、前記近視野区域（１８）が、前記下端（２２）に近接して配置され、前記コンタクトレンズの前記下端（２２）が切り取られて、前記コンタクトレンズの使用中に患者の下瞼に載る端面が形成されている、多焦点コンタクトレンズにおいて、
前記遠視野区域（１６）と前記近視野区域（１８）とは、前記コンタクトレンズの前記前面（１２）において一方の側部から他方の側部にわたって延びる単一の線の形状をした接合部（２０）で接しており、
切り取られた前記下端には、前方へ突出する出張り（５２）が一体的に形成されており、該出張りの下面も同様に患者の下瞼に載ることを特徴とする多焦点コンタクトレンズ。
【請求項２】
前記前方へ突出する出張り（５２）は、切り取られた前記下端から遠ざかって延び、かつ前方へ突出する端部部分（５４）を有することを特徴とする請求項１に記載の多焦点コンタクトレンズ。
【請求項３】
前記前方へ突出する出張り（５２）は、前記端部部分（５４）を除いて、２ｍｍから１０ｍｍであることを特徴とする請求項２に記載の多焦点コンタクトレンズ。
【請求項４】
前記前方へ突出する出張り（５２）は、前記端部部分（５４）を除いて、４ｍｍから６ｍｍであることを特徴とする請求項３に記載の多焦点コンタクトレンズ。
【請求項５】
中視野区域が、前記近視野区域（１８）と前記遠視野区域（１６）との間に形成されており、前記中視野区域と前記近視野区域と前記遠視野区域とは、接合部（２０）によって接しており、前記接合部は、前記コンタクトレンズの前記前面において一方の側部から他方の側部にわたって延びる線の形状をしたものであることを特徴とする請求項１ないし４のいずれか一項に記載の多焦点コンタクトレンズ。
【請求項６】
前記中視野区域は、累進的に変化しやすいことを特徴とする請求項５に記載の多焦点コンタクトレンズ。
【請求項７】
前記遠視野区域（１６）は、球面の形状、非球面の形状またはトロイダルの形状であることを特徴とする請求項１ないし６のいずれか一項に記載の多焦点コンタクトレンズ。
【請求項８】
前記近視野区域（１８）は、球面の形状、非球面の形状またはトロイダルの形状であることを特徴とする請求項１ないし７のいずれか一項に記載の多焦点コンタクトレンズ。
【請求項９】
前記近視野区域（１８）は、前記遠視野区域（１６）に比して比較的厚いことを特徴とする請求項１ないし８のいずれか一項に記載の多焦点コンタクトレンズ。
【請求項１０】
前記近視野区域（１８）は、レンズの向きを保つのを補助するためにプリズム状部を含んでなり、該プリズム状部は、前記下端（２２）に隣接して位置していることを特徴とする請求項９に記載の多焦点コンタクトレンズ。
【請求項１１】
前記コンタクトレンズは、角膜レンズより大きいことを特徴とする請求項１ないし１０のいずれか一項に記載の多焦点コンタクトレンズ。
【請求項１２】
前記コンタクトレンズは、１０ｍｍから１６ｍｍの全長を有することを特徴とする請求項１１に記載の多焦点コンタクトレンズ。
【請求項１３】
前記コンタクトレンズは、１２．５ｍｍから１４．５ｍｍの全長を有することを特徴とする請求項１２に記載の多焦点コンタクトレンズ。
【請求項１４】
前記下端を切り取ると、前記レンズの全長が、０．０５ｍｍから５ｍｍ小さくなることを特徴とする請求項１２または請求項１３に記載の多焦点コンタクトレンズ。
【請求項１５】
前記下端を切り取ると、前記レンズの全長が、０．５ｍｍから３ｍｍ小さくなることを特徴とする請求項１４に記載の多焦点コンタクトレンズ。
【請求項１６】
前記後面（１４）は、曲面を有することを特徴とする請求項１ないし１５のいずれか一項に記載の多焦点コンタクトレンズ。
【請求項１７】
前記後面（１４）は、球面の形状、非球面の形状またはトロイダルの形状を有する請求項１６に記載の多焦点コンタクトレンズ。
【請求項１８】
前記コンタクトレンズは、前記後面（１４）の縁部に隣接する１つ以上の２次的曲面部分（２６，２８）を有し、前記２次的曲面部分のそれぞれは、前記後面の曲率より小さい曲率を有することを特徴とする請求項１６または請求項１７に記載の多焦点コンタクトレンズ。
【請求項１９】
前記コンタクトレンズの周辺部分は、前記コンタクトレンズの側面に隣接する側方レンズ状部分（３０）により形成されていることを特徴とする請求項１ないし１８のいずれか一項に記載の多焦点コンタクトレンズ。
【発明の詳細な説明】
【０００１】
［発明の分野］
本発明は、コンタクトレンズに関する。
【０００２】
本発明の１つの実施形態では、コンタクトレンズがフレキシブルな材料から成り、該コンタクトレンズは一体的構造を有し、該コンタクトレンズは、眼の上を動くことができ、該コンタクトレンズは、前面および後面および上端および下端を有し、該コンタクトレンズの該下端は切り取られて、その切り取りによる端面は比較的深く、該端面は、患者の下瞼に載り、切り取られた下端には、前方へ突出する出張りが一体に形成され、該出張りの下面も同様に患者の下瞼に載る。
【０００３】
［図面の説明］
本発明は、以下、添付図面を参照して、例示的に説明する。
【０００４】
［発明の詳細な説明］
図１および図２は、コンタクトレンズ１０の前面１２および後面１４を示す。
【０００５】
図面に示すように、前面１２は、遠視野前面区域１６と、近視野前面区域１８とに分かれている。
【０００６】
遠視野前面区域１６は、好ましくは、球面形状、非球面(aspherical)形状あるいはトロイダル（環状）形状の曲率を有する。前面区域１６に非球面形状を使用すると、レンズ１０を比較的薄くできることが分かっている。
【０００７】
同様に近視野前面区域１８は、好ましくは、球面形状、非球面形状あるいはトロイダル形状に従う曲面を有する。非球面形状を使用すると、読むための近視野領域を漸進的に変化させることができることが分かっている。
【０００８】
区域１６および１８は、区域１６および１８のそれぞれの曲率に依存して、図１に示されているように線２０に沿って接することができる。あるいは、区域１６および１８は１つの点で出会うようになることもある。
【０００９】
区域１８は、図２に示すように、区域１６に比して比較的厚く、プリズムの形状となることもある。
【００１０】
このプリズム部は、眼の上のコンタクトレンズ１０を安定させる。プリズム部の容積は、レンズの強度に依存するが、好ましくは、患者に不快感を与えずに眼の上の適所に回転せずにレンズを保持できれば十分である。
【００１１】
コンタクトレンズ１０は、軟質のフレキシブルな材料から成る。例えば、コンタクトレンズ１０は、軟質のヒドロゲル、シリコーン、あるいは軟質ヒドロゲルとシリコンあるいはその他のフレキシブルまたは可撓性の材料から成る混合材料から形成することもできる。さらに、レンズ１０は比較的大きく、例えば角膜レンズより大きい。
【００１２】
コンタクトレンズ１０は下端２２および上端２４を有する。プリズム部は下端２２に隣接する。下端２２に隣接させてプリズム部を設けると、コンタクトレンズ１０は、端部２２に隣接する比較的嵩張って重い部分を有することになる。端部２２が、切り取られてできた端面は、図２に示すように、先端突部を切り取らない端部に比べて比較的深い。端部２２を切り取ったことにより、コンタクトレンズ１０を患者の下瞼に載ると共に、適所に接して、かつ保たれる。
【００１３】
さらに、レンズ１０の後面１４は、患者の乱視を矯正するために、球面、非球面あるいは環状の形状のような曲面で形成されている。さらに、端部２２および端部２４にめいめい隣接する個所での後面１４は、好ましくは、２次的曲面部分２６または２８によりそれぞれ形成されている。２次的曲面部分２６，２８は、後面１４の曲率より小さい曲率を有し、この形状変更を、眼の表面に適合するレンズに加えると、レンズは、眼の表面を相対的に容易に動くことができる。２次的曲面部分２６，２８はそれぞれ、単一の曲面であることも、一連の複数の曲面であることも、環状の曲面であることも、あるいは、これらの曲面の組合せであることもある。
【００１４】
２次的曲面部分２６，２８は、端部２２，２４に隣接するレンズ１０の周辺の一部分に沿ってのみ延びるか、または曲面部分２６，２８が延長されて、レンズ１０の周辺の全部または大部分の周りを延びる。
【００１５】
区域１６と１８との間の接合部２０の位置は、２焦点眼鏡レンズのように、変化させることができ、したがって、近視野部分１８の位置は、各患者に応じてカスタマイズできる。これにより、レンズ１０は、個別の患者の眼に正確に合わせることができる。
【００１６】
前述のように、端部２２に隣接するレンズ１０の下部は、端部２４に隣接する上部に比べてより嵩張りかつ重い。これは、レンズ１０が使用中に正しい向きを保つためであり、したがって遠視野区域１６は最上位に位置し、近視野区域１８が最下位に位置する。
【００１７】
さらに、コンタクトレンズ１０は、コンタクトレンズ１０の側面に隣接する側方レンズ状部分３０を有することもある。レンズ状部分３０が設けられている場合、それは切欠部であり、レンズの嵩張りを減じる。
【００１８】
コンタクトレンズ１０は、好ましくは、１０ｍｍから１６ｍｍの全長を有し、より好ましくは、１２．５ｍｍから１４．５ｍｍの全長を有する。下端２２の先端を切捨てると、レンズの全長が、０．０５ｍｍから５ｍｍ減じ、好ましくは、０．５ｍｍから３ｍｍ減じる。
【００１９】
コンタクトレンズ１０は、区域１６と１８との間に第３の中強度視野区域を有することもある。さらに、近視野区域１８は中強度視野区域を含むこともあり、該中強度視野区域は、近視野区域へ漸進的(progressively)または累進的(graduated)に変化する。
【００２０】
使用中、図１および図２のレンズ１０を患者の眼に入れると、端部２２は、患者の下瞼に載る。このようにして、患者が下方を見ると、眼は、コンタクトレンズ１０に対して動き、視線が、近視野または中視野または累進的な視野区域１８を通過する。
【００２１】
コンタクトレンズ１０は、端部２２と下瞼とが接しているので、下方へ動くことはない。あるいは、患者が上方を見ると、区域１８の重量により適所に保たれるコンタクトレンズ１０に対して眼は再び動き、視線が上側すなわち遠視野区域１６と一致するコンタクトレンズ１０の上部を通過する。
【００２２】
このようにして、使用中、コンタクトレンズ１０は、眼に対して相対的に動くことができ、したがって患者は選択的に、下部の近視野区域１８または下部の遠視野区域１６を通して見ることができる。この相対的なコンタクトレンズ１０の動きは、２次的曲面部分２６，２８があることで賄われている。
【００２３】
図３および図４に、コンタクトレンズ１０に類似のコンタクトレンズ５０を示す。同一部分は同一の参照番号により示されている。
【００２４】
しかしながら、この場合、下端２２には、前方へ突出する出張り(ledge)５２と一体的に形成されており、出張り５２は、使用中に下瞼に載る。出張り５２を設けると、区域１８が、コンタクトレンズ１０より薄く形成できる利点がある。あるいは、出張り５２は、プリズム部と組合せて設けられ、コンタクトレンズ５０の下部の容積を増し、レンズの向きを正すのを補正する。
【００２５】
さらに、区域１８をより薄くすると、コンタクトレンズ５０の総重量が減じる。このように、コンタクトレンズ５０は、コンタクトレンズ１０の側方レンズ状部分３０を有することも、有しないこともある。
【００２６】
出張り５２は、レンズ５０の下端２２全体を横切って延びることもあり、下端２２の一部のみにわたり延びていることもある。通常、出張り５２は、コンタクトレンズ５０の先端突部が切り取られている端部２２において、２ｍｍから１０ｍｍであり、好ましくは、４ｍｍから６ｍｍである。
【００２７】
出張り５２を設けると、下端２２の容積が増し、瞼がコンタクトレンズ５０に良好に作用して、レンズの相対的な動きが可能となる。
【００２８】
さらに、図３に示すように、出張り５２は、上方へ湾曲する端部部分５４が設けられ、端部部分５４はおもりとして機能し、使用中にコンタクトレンズ５０の位置を保つのを補助する。出張り５２および端部部分５４は、好適には、製造法に依存して、レーザにより形成されるか、または鋳型内に組込まれている。
【００２９】
当業者に明らかな変更および変形は、本発明の範囲内にあるものとする。
【図面の簡単な説明】
【図１】  本発明の第１の実施形態によるコンタクトレンズの前面の斜視図である。
【図２】  図１のＡ−Ａ切断線に沿って切断して示す横断面図である。
【図３】  本発明の第２の実施形態によるコンタクトレンズの前面の斜視図である。
【図４】  図３のＢ−Ｂ切断線に沿って切断して示す横断面図である。
【図１】
0004718084.tif 000002
【図２】
0004718084.tif 000003
【図３】
0004718084.tif 000004
【図４】
0004718084.tif 000005